(57)【要約】    【課題】  前側送風唐箕の取付構造の複雑化、穀粒の飛散、選別精度の低下。    【構成】  扱胴７の下方を扱網９により包囲した脱穀室８と、脱穀室８の下方に設けたメイン送風唐箕１０と、脱穀室８の下方から処理物移送方向の終端側に設けた風選室１５と、風選室１５に設けられた揺動選別装置１７と、該揺動選別装置１７の下方に設けた一番受樋３８と、該一番受樋３８の後側に設けた二番受樋４０とを備えた脱穀装置において、前記一番受樋３８と二番受樋４０との間には前記風選室１５に送風する終端側送風唐箕５４を、前記脱穀装置３の前板６０には前記揺動選別棚１６の始端部上面に送風する前側送風唐箕６１を夫々設け、前記メイン送風唐箕１０と終端側送風唐箕５４と前側送風唐箕６１は、夫々の風量が前側送風唐箕６１の風量が一番少なく、次いで、終端側送風唐箕５４の風量が少なく、メイン送風唐箕１０が最も多くなるように構成した脱穀装置。【選択図】    図２
2005245358.tif 000002
【特許請求の範囲】
【請求項１】
扱胴７の下方を扱網９により包囲した脱穀室８と、脱穀室８の下方に設けたメイン送風唐箕１０と、脱穀室８の下方から処理物移送方向の終端側に設けた風選室１５と、該風選室１５に設けられメイン送風唐箕１０の送風と往復揺動により穀粒を選別する揺動選別装置１７と、該揺動選別装置１７の下方に設けた一番物を回収する一番受樋３８と、該一番受樋３８の後側に設けた二番物を回収する二番受樋４０とを設けた脱穀装置において、前記一番受樋３８と二番受樋４０との間には前記風選室１５に送風する終端側送風唐箕５４を、前記脱穀装置３の前板６０には前記揺動選別棚１６の始端部上面に送風する前側送風唐箕６１を夫々設け、前記メイン送風唐箕１０と終端側送風唐箕５４と前側送風唐箕６１は、夫々の風量が前側送風唐箕６１の風量が一番少なく、次いで、終端側送風唐箕５４の風量が少なく、メイン送風唐箕１０が最も多くなるように構成した脱穀装置。
【請求項２】
請求項１において、前記メイン送風唐箕１０と終端側送風唐箕５４と前側送風唐箕６１は、その回転数が車速または被選別物量に応じて変更するように構成した脱穀装置。
【請求項３】
請求項２において、前記メイン送風唐箕１０と終端側送風唐箕５４と前側送風唐箕６１のうち、前記メイン送風唐箕１０の回転数の変動は、他の終端側送風唐箕５４と前側送風唐箕６１に対して緩やかとなるように構成した脱穀装置。
【発明の詳細な説明】
【技術分野】
【０００１】
本発明は、脱穀装置に係るものであり、特に、送風唐箕に係るものである。
【背景技術】
【０００２】
従来、扱胴の下方を扱網により包囲した脱穀室の下方に移送突起を有する移送棚を設け、移送棚の下方にメイン送風唐箕を設け、前記移送棚の終端に設けた開口部に送風する第２送風唐箕を設け、開口部の後側に棒状の篩線を並設した選別杆装置を設け、この選別杆装置の後側にグレンシーブを設け、揺動選別装置の下方に設けた一番物を回収する一番受樋および二番受樋を設け、前記一番受樋と二番受樋との間には前記風選室に送風する第３送風唐箕を設けた構成は公知である（特許文献１参照）。
【特許文献１】特開２００１−９５３５９号公報
【発明の開示】
【発明が解決しようとする課題】
【０００３】
前記公知例では、第２送風唐箕は移送棚の下方に設けられ、移送棚終端に設けた開口部に向けて送風しているので、開口部に送風する作用のみ奏し、取付用のスペースを要する割りには、十分な作用効果は期待できないという課題がある。
また、公知例では、第２送風唐箕の風が強いため、穀粒が飛散することがあり、これを防止するために、選別杆装置が必要となるという別の課題が生じ、その分構造が複雑となる。
この穀粒飛散という課題に対してメイン送風唐箕であれば風を弱くすればよいので、これに準じて、第２送風唐箕でも風を弱くすればよいようであるが、第２送風唐箕では安易に風を弱めると開口部（送風口）より第２送風唐箕のケーシング内に穀粒が落下してしまうから、風を弱くする手段は採用できず、必然的に、公知例の場合、選別杆装置が必要となるのであって、構造が複雑となる。
また、選別杆装置は並設した棒状の篩線の終端側を高くして、処理物の移動の抵抗となることで、穀粒飛散を防止しているため、処理物が適性量であればよいが、少しでも処理物の量が過剰になれば堰き止めるように作用し、操作が面倒であるという課題も生じる。
本願は、穀粒を飛散させずに、選別効率を向上させるように、メイン送風唐箕と終端側送風唐箕と前側送風唐箕について工夫したものであり、また、公知例のような落下物の移動の抵抗となるような選別杆装置を設けずに穀粒を飛散させないように工夫したものである。
【課題を解決するための手段】
【０００４】
本発明は、扱胴７の下方を扱網９により包囲した脱穀室８と、脱穀室８の下方に設けたメイン送風唐箕１０と、脱穀室８の下方から処理物移送方向の終端側に設けた風選室１５と、該風選室１５に設けられメイン送風唐箕１０の送風と往復揺動により穀粒を選別する揺動選別装置１７と、該揺動選別装置１７の下方に設けた一番物を回収する一番受樋３８と、該一番受樋３８の後側に設けた二番物を回収する二番受樋４０とを設けた脱穀装置において、前記一番受樋３８と二番受樋４０との間には前記風選室１５に送風する終端側送風唐箕５４を、前記脱穀装置３の前板６０には前記揺動選別棚１６の始端部上面に送風する前側送風唐箕６１を夫々設け、前記メイン送風唐箕１０と終端側送風唐箕５４と前側送風唐箕６１は、夫々の風量が前側送風唐箕６１の風量が一番少なく、次いで、終端側送風唐箕５４の風量が少なく、メイン送風唐箕１０が最も多くなるように構成した脱穀装置としたものであり、脱穀室８に供給された穀稈は回転する扱胴７により脱穀され、扱網９より落下した落下物は揺動選別装置１７に落下するときに前側送風唐箕６１からの送風で終端側に向けて移動し、移動中比重により穀粒は下に沈み塵埃は吹送されて風選室１５に至り、メイン送風唐箕１０からの送風と揺動選別棚１６との揺動で穀粒と藁屑等とを分離し、穀粒は各シーブ２５の隙間より落下し、藁屑は排出側に移動し、このとき、終端側送風唐箕５４からの送風によりシーブ２５における穀粒と藁屑等との分離の精度および効率を向上させ、塵埃や藁屑を吸引排塵ファン４６により吸引排除し、吸引排塵ファン４６により吸引されない藁屑はストローラック３５上に至り、ストローラック３５より落下しない藁屑等は機外に排出される。
そして、前側送風唐箕６１は揺動選別棚１６の始端部上面と略並行方向に送風するため、選別工程に影響を与えずに前側送風唐箕６１の風量を自由に設定でき、藁屑よりも塵埃が多い揺動選別棚１６の始端部に送風する前側送風唐箕６１の風力を一番小さく、シーブ２５上の藁屑の移送を期待するシーブ２５の風力は前側送風唐箕６１に比し大きく、風選室１５に送風する風選室１５は一番大きく設定し、脱穀装置３内の全体に適正な風量の風を送風する。
本発明は、前記メイン送風唐箕１０と終端側送風唐箕５４と前側送風唐箕６１は、その回転数が車速または被選別物量に応じて変更するように構成した脱穀装置としたものであり、メイン送風唐箕１０と終端側送風唐箕５４と前側送風唐箕６１の回転数は車速または被選別物量に応じて自動的に変更される。
本発明は、前記メイン送風唐箕１０と終端側送風唐箕５４と前側送風唐箕６１のうち、前記メイン送風唐箕１０の回転数の変動は、他の終端側送風唐箕５４と前側送風唐箕６１に対して緩やかとなるように構成した脱穀装置としたものであり、各唐箕の最低回転数と最高回転数との間の回転差（変動幅）は、メイン送風唐箕１０の変動幅は他の終端側送風唐箕５４と前側送風唐箕６１に対して少なくする。
【発明の効果】
【０００５】
請求項１の発明では、穀粒を飛散させずに前側送風唐箕６１の送風による揺動選別棚１６の始端部における処理物の吹送を実現でき、また、揺動選別棚１６の始端部における詰まりも防止でき、しかも、脱穀装置３内の全体の送風を適正にして、選別効率および精度を向上できる。
請求項２の発明では、脱穀状態に応じて脱穀装置３の各部分に適正な送風ができ、選別効率および精度を向上できる。
請求項３の発明では、メイン送風唐箕１０の風量が元々多いので、一定以上の風量を保つことで、制御の精度を向上できる。
【実施例１】
【０００６】
本発明の実施例をコンバインの図面により説明すると、１はコンバインの機体フレーム、２は機体フレーム１の下方に設けた走行装置、３は機体フレーム１の上方に設けた脱穀装置、４は脱穀装置３の前側に設けた刈取部、５は脱穀装置３の側部に設けたグレンタンクである。
前記脱穀装置３の構成は任意であるが、一例を示すと、上部には扱胴７を軸装した脱穀室８を設け、扱胴７の主として下方側は扱網９により包囲し、扱網９の下方には送風唐箕１０の唐箕ケーシング１１を設け、送風唐箕１０は扱胴７の軸心方向終端側（後側）に向けて送風する。即ち、脱穀室８に穀稈を供給する穀稈供給装置１２の穀稈搬送方向を前から後とすると、送風唐箕１０は後側に向けて送風することになる。
前記脱穀室８の下方から後方にかけては前記送風唐箕１０の送風により穀粒と異物とを風選し得る風選室１５を形成し、風選室１５内には、送風唐箕１０の送風方向に往復揺動する揺動選別棚１６により構成した揺動選別装置１７を設ける。
【０００７】
しかして、本実施例の揺動選別装置１７は、その始端部を唐箕ケーシング１１の上方に位置させ、唐箕ケーシング１１の上方の揺動選別棚１６の始端部は下側移送突起１８を揺動方向に並設した下側移送棚部１９に形成し、下側移送棚部１９の上方には上側移送棚部２０を設け、上下２段の並列移送部構成の採用により、上側移送棚部２０の開口部より後述する揺動選別棚１６に設けた選別網２１に選別した穀粒の一部を直接送るように構成して、風選室１５における風選作業の前に穀粒を回収し、選別効率および精度の向上を期待するものであるが、本願の揺動選別装置１７の要件ではない。
上側移送棚部２０は棚板形状に形成して前記揺動選別棚１６に固定し、上側移送棚部２０の始端部の前記開口部には網体２２または前側シーブ３２（図６）を設ける。前側シーブ３２は軸杆形状に形成し、揺動方向に複数並設して構成する。網体２２または前側シーブ３２に続く上側移送棚部２０には上側移送突起２３を揺動方向に並設する。
前記上側移送棚部２０の網体２２または前側シーブ３２は下側移送棚部１９の下側移送突起１８の上方に位置させ、上側移送棚部２０の上側移送突起２３は下側移送突起１８に続く揺動選別棚１６の傾斜部２４上に設けて、脱穀室８から傾斜部２４および選別網２１に直接落下するのを防止している。
即ち、始端部で多く落下する穀粒を網体２２または前側シーブ３２から早々に取り込んで一番コンベアに回収して一番物の選別精度を向上させる。
【０００８】
しかして、前記上側移送棚部２０の終端側の揺動選別棚１６には穀粒とその他の異物とを選別するシーブ２５を設ける。シーブ２５は揺動方向に複数並設し、各シーブ２５は傾斜角度を変更自在に構成する。傾斜角度を変更する構成は任意であるが、一例を示すと、各シーブ２５の上部を軸２６により揺動選別棚１６に回動自在に取付け、各シーブ２５の下部には夫々横軸２７を設け、各横軸２７は揺動選別棚１６に設けた長孔（図示省略）に挿通し、各横軸２７の端部は連動板２８に取付け、連動板２８には該連動板２８を前後に移動させるアーム２９を取付け、アーム２９には操作伝達用ワイヤ３０の一端を取付け、操作伝達用ワイヤ３０の他端は手動操作部（図示省略）あるいは操作モータ３１（図８）に接続する。
前記選別網２１の下方には一番受樋３８を設け、一番受樋３８内に一番コンベア３９を設ける。一番受樋３８の後側には二番受樋４０を設け、二番受樋４０内には二番コンベア４１を設ける。前記揺動選別棚１６の底板３７の終端は前記ストローラック３５の始端部下方に臨ませ、ストローラック３５の下方に二番受樋４０を位置させてストローラック３５より落下する二番物を回収する。
４６は風選室１５の終端側に設けた塵埃や藁屑を吸引する吸引排塵ファンである。
【０００９】
前記脱穀室８の側部であって終端側には脱穀室８から入った排塵物を処理する排塵処理胴４７を設け、排塵処理胴４７の周囲を処理網４８により包囲して排塵処理部４９に構成する。
また、５０は、脱穀室８の側部に設けた二番コンベア４１から二番物を戻す二番戻し装置であり、脱穀室８または二番処理部（図示省略）に二番物を戻す。
しかして、前記一番コンベア３９と二番コンベア４１の間には終端側送風唐箕（セカンドファン）５４を設ける。
終端側送風唐箕５４は、一番受樋３８の後側に設けた後側に至るに従い高くなる一番受樋誘導板５５と、二番受樋４０の前側に設けた前側に至るに従い高くなる二番受樋誘導板５６のとの間に開口部（送風口）５７を設け、該開口部５７の下方に設けたケーシング５８内に設け、前記開口部５７より送風する。実施例では、前記選別網２１およびシーブ２５に向けて送風することにより、風選室１５の終端（後側）側の選別風を適正にする。
【００１０】
即ち、送風唐箕１０の送風が過剰に強いと、本来一番コンベア３９で回収されるべき穀粒が飛散して回収効率が低下し、送風唐箕１０の送風が弱いと風選室１５の終端（後側）側における選別風が弱くなって藁屑や塵埃が混入し、風選効率および精度が低下するが、本願では終端側送風唐箕５４を設けているので、風選室１５全体の選効率および精度を向上させている。
しかして、脱穀装置３の前板６０には前側送風唐箕（サードファン）６１を設ける。６２は前側送風唐箕６１からの送風が吹き出す開口部（送風口）である。前側送風唐箕６１は揺動選別棚１６の始端部上面と略同じ高さに位置させ、揺動選別棚１６の始端部と略並行に後側に向けて送風するようにし、メイン送風唐箕１０の唐箕ケーシング１１の上方の揺動選別棚１６の始端側の移送棚部からシーブ２５への移動中の処理物の移送および選別に、作用する。
特に、実施例の場合、上下２段の並列移送部構成の採用により、風選室１５での風選作業の前に穀粒を上側移送棚部２０の網体２２または前側シーブ３２より回収するときの風選効率および精度を、向上させられ、好適である。
【００１１】
しかして、メイン送風唐箕１０と終端側送風唐箕５４と前側送風唐箕６１は、これらの夫々の風量（風力）がメイン送風唐箕１０を一番強くし、終端側送風唐箕５４と前側送風唐箕６１の順に弱くなるように構成する。
そのため、脱穀装置３（特に風選室１５）内の全体に適正な風量の風を送風でき、脱穀作業の効率および精度を向上させる。
実施例では、メイン送風唐箕１０と終端側送風唐箕５４と前側送風唐箕６１の夫々のファンの径を、この順に小さくなるように構成しているので、適正な風量確保だけでなく、機体寸法も小型にでき、好適である。
即ち、揺動選別棚１６の始端部では藁屑よりも軽い塵埃を移送させるので、前側送風唐箕６１はそれ程風量は要求されないため一番小さく（弱く）し、終端側送風唐箕５４はシーブ２５上の藁屑の移送を期待するので前側送風唐箕６１に比し大きく設定し、メイン送風唐箕１０は風選室１５全体に送風するため一番大きく設定している。
なお、各送風唐箕からの風の強さ等の表現に関し、理解を容易にするために、風量・風力、あるいは、大小、強弱等の種々の表現を使用しているが、これらの表現により構成が限定されるものではない。
【００１２】
前記メイン送風唐箕１０と終端側送風唐箕５４と前側送風唐箕６１の回転は変速可能に構成し、脱穀装置３の負荷に応じて比例して変更するように構成すると、一層、脱穀状態に応じて脱穀装置３の各部分に適正な送風ができ、選別効率および精度を向上させられ、好適である。
特に、作業対象の作物や圃場の状態に幅広く対応でき、適応性能を向上させる。
図９は、メイン送風唐箕１０と終端側送風唐箕５４と前側送風唐箕６１の風量の変化を示し、Ａの線がメイン送風唐箕１０の回転数、Ｂの線が終端側送風唐箕５４の回転数、Ｃの線が前側送風唐箕６１の回転数を示す。
また、脱穀装置３の負荷は、任意の手段により検出し、例えば、車速や流量で検出すればよい。
【００１３】
この場合、メイン送風唐箕１０と終端側送風唐箕５４と前側送風唐箕６１の回転を、図１０のように、メイン送風唐箕回転Ａの勾配に比し終端側送風唐箕回転Ｂおよび前側送風唐箕回転Ｃの勾配を急になるようにすると、元々多いメイン送風唐箕１０の風量を一定以上に保つことができ、制御の精度を向上させられ、好適である。
【００１４】
また、メイン送風唐箕１０と終端側送風唐箕５４と前側送風唐箕６１の回転は、図１１のように、メイン送風唐箕回転Ａ、終端側送風唐箕回転Ｂ、前側送風唐箕回転Ｃの何れかまたは全部を、勾配を変えずに上下に移動（シフト）させると、制御精度が向上して好適である（図１１では前側送風唐箕回転Ｃのみシフトさせているが、メイン送風唐箕回転Ａおよび終端側送風唐箕回転Ｂのシフトも可能である）。
例えば、湿田と乾田といった圃場条件や倒伏穀稈といった穀稈の作業条件等に起因して、刈取穀稈量と走行速度の相対関係の変化等の各種条件に応じて行う変速を、前記メイン送風唐箕回転Ａ、終端側送風唐箕回転Ｂ、前側送風唐箕回転Ｃの勾配を変えずに全体的に上下させる。
即ち、比例して変化するメイン送風唐箕１０と終端側送風唐箕５４と前側送風唐箕６１の回転数を、この相対比率は変えずに、初期回転数の設定を変更することで、種々の状況に応じた制御精度を向上させる。
一例を示すと、麦や湿った夾雑物の多い場合、終端側送風唐箕５４の風量を増大させると、シーブ２５における選別が良好になって、負荷を軽減でき、好適である。
【００１５】
また、メイン送風唐箕１０と終端側送風唐箕５４と前側送風唐箕６１の回転を、図１２のように、メイン送風唐箕回転Ａ、前側送風唐箕回転Ｃの回転数の変化率の勾配に対して終端側送風唐箕回転Ｂの勾配を緩傾斜勾配かまたはまたは略一定に固定するようにすると、メイン送風唐箕１０と終端側送風唐箕５４と前側送風唐箕６１への夫々に回転を伝達する伝達機構の構成を簡素にしつつ、選別効率および精度を向上させられ、好適である。
即ち、メイン送風唐箕１０や前側送風唐箕６１に比して、夾雑物が比較的多い部分へ送風する終端側送風唐箕５４は、比較的高い風量で固定が可能であり、終端側送風唐箕５４の変速機構を省略することで、コストを低くすることもできる。
【００１６】
しかして、前記メイン送風唐箕１０と終端側送風唐箕５４と前側送風唐箕６１の回転を変速させる構成は任意であるが、一例を示すと、６５はエンジンからの回転を伝達する伝達軸であり、伝達軸６５には中間出力プーリ６６を設け、中間出力プーリ６６にはメイン送風唐箕１０のメイン用回転軸６７に設けたメイン用回転プーリ６８との間にベルト６９を掛け回し、前記メイン用回転プーリ６８をベルコンプーリにより構成して変速するように構成し、終端側送風唐箕５４と前側送風唐箕６１の回転軸７０、７１に夫々プーリ７２、７３を設けてメイン用回転軸６７の回転を伝達するように構成している（図１３）。
【００１７】
図１４は、前記メイン送風唐箕１０と終端側送風唐箕５４と前側送風唐箕６１の回転伝動機構の他の実施例であり、前記終端側送風唐箕５４と前側送風唐箕６１に回転を伝達するプーリ７２とプーリ７３も夫々ベルコンプーリにより構成し、メイン送風唐箕１０と終端側送風唐箕５４と前側送風唐箕６１の何れも独立して変速するように構成したものであり、種々の制御パターンを設定でき、制御精度および操作性を向上させることができ、好適である。
【００１８】
しかして、図１５〜図１７は、他の脱穀装置３の実施例であり、脱穀室８の扱網９と揺動選別棚１６との間に平板状の網体７５を設ける。網体７５は少なくとも四隅に取付部７６を設け、取付部７６を脱穀装置３に上下自在に取付け、取付部７６はバネ７７により弾力的に支持し、カム等の振動付与部材７８により振動を付与するように構成する。
網体７５は脱穀室８の扱網９から落下する落下物が揺動選別棚１６に落下するときの均平化を促進できる。
【００１９】
即ち、前記網体７５は揺動選別棚１６とは別体に設けているので、揺動選別棚１６とは違った揺動（振動）となって、均平化が促進されるのを期待でき、また、揺動選別棚１６の重量の軽量化が図れる。
【００２０】
また、網体７５は側面視略水平であるが、正面視前記二番処理部５１および排塵処理胴４７を設けた側を高く、反対側を低く傾斜させて設けると、一層、揺動選別棚１６に落下する落下物の均平化を促進でき、好適である。
【００２１】
しかして、前記排塵処理胴４７を設けた排塵処理部４９は、排塵処理胴４７の周囲を処理網４８により包囲するが、処理網４８の下面高さは前記揺動選別棚１６よりも上方に位置させ、処理網４８の下面と揺動選別棚１６との間に所定の空間８０を形成するようにすると、排塵処理部４９の処理網４８の脱着作業が揺動選別棚１６を外さずに行え、排塵処理部４９のメンテナンス作業を容易にし、メンテナンス性を向上させる（図１８、図１９）。
即ち、従来は、処理網４８の下面と揺動選別棚１６とは、側面視においてラップさせて機体を小型化させており、メンテナンス性を犠牲にしていたが、本願は、処理網４８の下面と揺動選別棚１６との間に所定の空間８０を形成するだけで、排塵処理部４９の処理網４８の脱着作業が揺動選別棚１６を外さずに行え、排塵処理部４９のメンテナンス作業を容易にしている。
【００２２】
この場合、前記処理網４８は、前記排塵処理胴４７の揺動選別棚１６側の略半分の側面を包囲するように形成し、処理網４８の上部は脱穀装置３の任意の機体固定部８１に取付具（ヒンジ）８２により横軸回動自在に取付けるように構成すると、処理網４８の脱着を含めた排塵処理部４９のメンテナンスが一層容易になる（図２０、図２１）。
実施例では、処理網４８の下部は機体固定部８１にボルト８３により固定している。
【００２３】
また、図２２、２３は、処理網４８の脱着に関する別の実施例であり、前記上下の機体固定部８１に排塵処理胴４７の軸方向に長い案内レール８５を設け、案内レール８５に処理網４８の上下縁に設けたフランジ部８６を摺動のみ自在に嵌合させて取付けるように構成したものである。８７は処理網４８の摺動を固定する固定具である。
【００２４】
次に実施例の構成の作用を述べる。
機体を走行装置２により走行させると、刈取部４により穀稈を刈取り、刈取った穀稈は脱穀室８に供給され、脱穀室８内の回転する扱胴７により脱穀され、扱網９より落下した落下物は揺動選別装置１７の上側移送棚部２０に落下し、前側送風唐箕６１からの送風を受けて落下物の内の比重の重い穀粒は網体２２または前側シーブ３２の隙間より下側移送棚部１９上に落下し、下側移送棚部１９の下側移送突起１８により移送されて揺動選別棚１６の選別網２１上に至る。
選別網２１上では、揺動する揺動選別棚１６と共に揺動する選別網２１とメイン送風唐箕１０からの送風とにより穀粒と塵埃とを分離し、穀粒が選別網２１より落下し、軽い塵埃はメイン送風唐箕１０の送風により排出側に移動し、風選室１５の終端側の吸引排塵ファン４６により吸引排除される。
【００２５】
一方、穀粒より比重の軽い塵埃・藁屑等は、上側移送棚部２０の網体２２または前側シーブ３２の隙間より落下する前に、前側送風唐箕６１からの送風により上側移送棚部２０の上側移送突起２３上に至り、上側移送突起２３により移送されてシーブ２５上に至り、揺動選別装置１７の揺動とメイン送風唐箕１０の送風により穀粒と藁屑等とを分離し、穀粒はシーブ２５より落下し、藁屑は排出側に移動し、風選室１５の終端側では、塵埃や藁屑を吸引排塵ファン４６により吸引排除され、吸引排塵ファン４６により吸引されない藁屑はストローラック３５上に至り、ストローラック３５より落下しない藁屑等は機外に排出される。
また、二番コンベア４１により回収された二番物は二番処理室に戻して処理され、再び風選室１５に供給されて風選処理される。
【００２６】
しかして、揺動選別装置１７は、揺動選別棚１６の始端部に上下に上側移送棚部２０と下側移送棚部１９を並設し、上側移送棚部２０の始端部は網体２２または前側シーブ３２により構成し、脱穀室８の始端部以降で多く落下する藁屑に始端部で多く落下する穀粒を混入せずに網体２２または前側シーブ３２から早々に取り込むことで、一番コンベア３９に回収される一番物の精度を向上させる。
即ち、シーブ２５により大量の藁屑等と穀粒とを選別しても、選別精度に限界が生じるが、本願では、落下する藁屑が少量の始端側で穀粒を上側移送棚部２０の網体２２または前側シーブ３２により下方の下側移送棚部１９に取り込み、下側移送棚部１９の下側移送突起１８により移送された被処理物は揺動選別棚１６の選別網２１により吹き上げられる選別風と揺動する選別網２１により風選されて、穀粒が選別網２１より落下して一番コンベア３９に入るから、選別精度が格段に向上する。
【００２７】
しかも、上側移送棚部２０の網体２２または前側シーブ３２より落下しない処理物は上側移送突起２３により次工程のシーブ２５に移送され、従前のようにシーブ２５で風選別される。
したがって、上側移送棚部２０の網体２２または前側シーブ３２を通過して一番コンベア３９に入る分確実に選別精度が向上する。
【００２８】
しかして、シーブ２５で行う風選作業に際してメイン送風唐箕１０の選別風が強過ぎると穀粒の飛散現象が生じるが、一番受樋３８と二番受樋４０との間には終端側送風唐箕５４をもうけているから、穀粒の飛散を抑制して回収効率を向上させる。なお、メイン送風唐箕１０の風量を終端側送風唐箕５４が無い場合に比し弱く設定できるので、メイン送風唐箕１０および唐箕ケーシング１１をコンパクトにする。
一方、シーブ２５の中間から終端に掛けての被処理物は、終端側送風唐箕５４の送風により吹送されて速く移送処理され、揺動選別棚１６の負荷を軽減させ、揺動選別装置１７全体としての選別精度および選別効率を向上させることができる。
【００２９】
しかして、前側送風唐箕６１は、脱穀装置３の前板６０に設けたので、揺動選別棚１６の始端部上面に揺動方向に略並行方向に送風できる。
そのため、公知例のような開口部を通過させるために所定の風量が要求されることはないので、選別工程に影響を与えずに前側送風唐箕６１の風量を自由に設定できる。
したがって、藁屑よりも軽い塵埃が多い揺動選別棚１６の始端部に送風する前側送風唐箕６１の風力を一番小さく、シーブ２５上の藁屑の移送を期待するシーブ２５の風力は前側送風唐箕６１に比し大きく、風選室１５に送風する風選室１５は一番大きく設定することが可能となって、脱穀装置３内の全体に適正な風量の風を送風する。
【図面の簡単な説明】
【００３０】
【図１】コンバインの側面図。
【図２】脱穀装置の縦断側面図。
【図３】揺動選別装置の側面図。
【図４】図３のシーブ部分の縦断側面図。
【図５】揺動選別装置の平面図。
【図６】前側シーブの側面図。
【図７】前側シーブの側面図。
【図８】操作用モータの側面図。
【図９】メイン送風唐箕と終端側送風唐箕と前側送風唐箕の風量の関係図。
【図１０】他の実施例の風量の関係図。
【図１１】他の実施例の風量の関係図。
【図１２】他の実施例の風量の関係図。
【図１３】メイン送風唐箕と終端側送風唐箕と前側送風唐箕への回転伝達構成の一例を示す概略図。
【図１４】メイン送風唐箕と終端側送風唐箕と前側送風唐箕への回転伝達構成の他の実施例を示す概略図。
【図１５】他の実施例の脱穀装置の正面図。
【図１６】同振動付与機構の一例を示す概略図。
【図１７】同側面図。
【図１８】排塵処理部の処理網の脱着の実施例の側面図。
【図１９】同正面図。
【図２０】同他の実施例の脱穀装置の正面図。
【図２１】図２０の拡大図。
【図２２】同他の実施例の脱穀装置の側面図。
【図２３】同正面図。
【符号の説明】
【００３１】
１…機体フレーム、２…走行装置、３…脱穀装置、４…刈取部、５…グレンタンク、６…操縦部、８…脱穀室、９…扱網、１０…送風唐箕、１１…唐箕ケーシング、１２…穀稈供給装置、１５…風選室、１６…揺動選別棚、１７…揺動選別装置、１８…下側移送突起、１９…下側移送棚部、２０…上側移送棚部、２１…選別網、２２…網部、２３…上側移送突起、２４…傾斜部、２５…シーブ、２６…軸、２７…横軸、２８…連動板、２９…アーム、３０…操作伝達用ワイヤ（ロッド）、３５…ストローラック、３７…底板、３８…一番受樋、３９…一番コンベア、４０…二番受樋、４１…二番コンベア、４６…吸引排塵ファン、４７…排塵処理胴、４８…処理網、４９…排塵処理部、５０…二番戻し装置、５５…一番受樋誘導板、５６…二番受樋誘導板、５７…開口部、５８…ケーシング、６０…前板、６１…前側送風唐箕、６２…開口部、６５…伝達軸、６６…中間出力プーリ、６７…メイン用回転軸、６８…メイン用回転プーリ、６９…ベルト、７０…回転軸、７１…回転軸、７２…プーリ、７３…プーリ、７５…網体、７６…取付部、７７…バネ、７８…振動付与部材、８０…空間、８１…機体固定部、８２…取付具、８３…ボルト、８５…案内レール、８６…フランジ部、８７…固定具。
【図１】
2005245358.tif 000003
【図２】
2005245358.tif 000004
【図３】
2005245358.tif 000005
【図４】
2005245358.tif 000006
【図５】
2005245358.tif 000007
【図６】
2005245358.tif 000008
【図７】
2005245358.tif 000009
【図８】
2005245358.tif 000010
【図９】
2005245358.tif 000011
【図１０】
2005245358.tif 000012
【図１１】
2005245358.tif 000013
【図１２】
2005245358.tif 000014
【図１３】
2005245358.tif 000015
【図１４】
2005245358.tif 000016
【図１５】
2005245358.tif 000017
【図１６】
2005245358.tif 000018
【図１７】
2005245358.tif 000019
【図１８】
2005245358.tif 000020
【図１９】
2005245358.tif 000021
【図２０】
2005245358.tif 000022
【図２１】
2005245358.tif 000023
【図２２】
2005245358.tif 000024
【図２３】
2005245358.tif 000025